(57)【要約】【課題】本発明は果物を固定できるピーラーを開示した。  【解決手段】皮むき器を含み、果物の中心を二つの固定ヘッドを合わせ、そしてぞれぞれネジ山を回転させ、これによりネジ山ロッドを果物の方向へ移動させ、本装置は梨やりんごなどの果物の皮をむくことが実現でき、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約する。【選択図】図１
2020175146.tif 000002
【特許請求の範囲】
【請求項１】
正面視で、皮むき器を含み、前記皮むき器の中には回転装置が設置され、前記回転装置は移動スライドロッドを含み、前記皮むき器の上下両端には固定ブロックが対称的に設置され、前記固定ブロックが前記皮むき器とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には四つの環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記皮むき器の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置されていることを特徴とする果物を固定できるピーラー。
【請求項２】
前記回転装置は移動スライダ，前記移動スライダが前記移動スライドロッドと固定的に連結され、前記移動スライドロッドはそれぞれ前記移動スライダと前記弧状溝とスライドできるように連結され、二つの前記移動スライドロッドはそれぞれ前記皮むき器の上下両端と固定的に連結され、前記皮むき器は前記移動スライダと前記移動スライドロッドにより前記固定ブロックを回って回転でき、その作用は果物の皮を剥く位置を選択することであることを特徴とする請求項１に記載の果物を固定できるピーラー。
【請求項３】
二つの前記固定装置が上下対称的に設置され、上端の前記固定装置を例として説明し、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定することを特徴とする請求項１に記載の果物を固定できるピーラー。
【請求項４】
前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下端には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には取り除き溝が設置され、前記取り除き溝の上下端壁には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記取り除き溝の上下端壁には固定ゴムが設置され、前記皮むきロッドは前記ナイフヘッドを連動させて上下にスライドさせ、その作用は果物の皮をむくことであることを特徴とする請求項１に記載の果物を固定できるピーラー。
【発明の詳細な説明】
【技術分野】
【０００１】
本発明は食品処理分野を取り上げて、具体的には果物を固定できるピーラーである。
【背景技術】
【０００２】
現在、人の生活水準の向上につれて、果物を食べることも多くなり、りんごや梨などの果物を食べる時に皮をむく必要があり、従来のピーラーを使用する時に果物の皮を完璧に剥くまでかなり時間がかかり、しかも使用する時に指を傷つけやすく、人を傷つけ、そのため果物の皮を完璧に剥くことができて指を傷つけにくいピーラーを設計することが必要である。
【先行技術文献】
【特許文献】
【０００３】
【特許文献１】中国特許出願公開第１０５７６８８２５号明細書
【発明の概要】
【発明が解決しようとする課題】
【０００４】
本発明は果物を固定できるピーラーを提供し、上記背景技術において提出された問題を解決することを目的とする。
【課題を解決するための手段】
【０００５】
上記の目的を実現するために、本発明は以下の技術プランを提供する：果物を固定できるピーラーは：皮むき器を含み、前記皮むき器の中には回転装置が設置され、前記回転装置は移動スライドロッドを含み、前記皮むき器の上下両端には固定ブロックが対称的に設置され、前記固定ブロックが前記皮むき器とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には四つの環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記皮むき器の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置されている。
【０００６】
好ましくは、前記回転装置は移動スライダ，前記移動スライダが前記移動スライドロッドと固定的に連結され、前記移動スライドロッドはそれぞれ前記移動スライダと前記弧状溝とスライドできるように連結され、二つの前記移動スライドロッドはそれぞれ前記皮むき器の上下両端と固定的に連結され、前記皮むき器は前記移動スライダと前記移動スライドロッドにより前記固定ブロックを回って回転でき、その作用は果物の皮を剥く位置を選択することである。
【０００７】
好ましくは、二つの前記固定装置が上下対称的に設置され、上端の前記固定装置を例として説明し、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定する。
【０００８】
好ましくは、前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下端には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には取り除き溝が設置され、前記取り除き溝の上下端壁には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記取り除き溝の上下端壁には固定ゴムが設置され、前記皮むきロッドは前記ナイフヘッドを連動させて上下にスライドさせ、その作用は果物の皮をむくことである。
【発明の効果】
【０００９】
以上のように、本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の果物を固定できるピーラーの全体断面の正面構成模式図
【図２】図２は本発明の図１のＡの局部拡大図
【図３】図３は本発明の図１のＢの局部拡大図
【図４】図４は本発明の図１のＣの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。  
【００１３】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１４】
図１〜４を参照し、本発明の提供した実施例は：果物を固定できるピーラーは：皮むき器３１を含み、前記皮むき器の中には回転装置１０１が設置され、前記回転装置１０１は移動スライドロッド４０を含み、前記皮むき器３１の上下両端には固定ブロック４３が対称的に設置され、前記固定ブロック４３が前記皮むき器３１とスライドできるように連結され、前記固定ブロック４３の中には固定装置１０２が設置され、前記固定装置１０２はネジ山ロッド３２を含み、二つの前記ネジ山ロッド３２を回転させることにより果物を固定でき、前記固定ブロック４３の中には四つの環状溝４４が設置され、前記環状溝４４の上端壁には圧し板溝３７が設置され、前記圧し板溝３７の上端壁には外部空間と連通している連接溝５９が設置され、前記固定ブロック４３の中にはネジ山溝４２が貫通するように設置され、前記皮むき器３１の中には空チャンバ２１が設置され、前記空チャンバ２１の前後端壁には弧状スライド溝２２が対称的に設置され、前記弧状スライド溝２２の中には皮むき装置１０３が設置され、前記皮むき装置１０３は弧状スライダ２３と連接ブロック２５とを含み、前記皮むき装置１０３は弧状スライダ２３と連接ブロック２５との上下移動により、果物の皮を剥くことができ、前記連接ブロック２５の中には皮むきロッドスライド溝６０が左右に貫通するように設置され、前記皮むきロッドスライド溝６０の上下端壁にはリミットスライド溝２７が対称的に設置されている。
【００１５】
有益的には、前記回転装置１０１は移動スライダ４１，前記移動スライダ４１が前記移動スライドロッド４０と固定的に連結され、前記移動スライドロッド４０はそれぞれ前記移動スライダ４１と前記弧状溝４４とスライドできるように連結され、二つの前記移動スライドロッド４０はそれぞれ前記皮むき器３１の上下両端と固定的に連結され、前記皮むき器３１は前記移動スライダ４１と前記移動スライドロッド４０により前記固定ブロック４３を回って回転でき、その作用は果物の皮を剥く位置を選択することである。
【００１６】
有益的には、二つの前記固定装置１０２が上下対称的に設置され、上端の前記固定装置１０２を例として説明し、前記ネジ山溝４２が前記ネジ山ロッド３２とネジ山より連結され、前記ネジ山ロッド３２の上端にはネジ山ヘッド３３が設置され、前記ネジ山ロッド３２の下端には固定ヘッド４６が設置され、前記圧し板溝３７の中には圧し板ブロック３８がスライドできるように連結され、前記圧し板ブロック３８の中には連通溝５８が設置され、前記連通溝５８が前記ネジ山ロッド３２とスライドできるように連結され、前記圧し板ブロック３８の下端面には固定パッド３９が設置され、前記固定パッド３９は前記移動スライダ４１を固定でき、前記圧し板ブロック３８の上端面と前記圧し板溝３７の上端壁には復帰バネ３６が左右対称的に連結され、前記圧し板ブロック３８の上端面には圧しロッド３５が固定的に連結され、前記圧しロッド３５が前記連接溝５９とスライドできるように連結され、前記圧しロッド３５の上端には圧しヘッド３４が設置され、前記ネジ山ヘッド３３を回転させ、これにより前記ネジ山ロッドを下方へ運動させ、これにより果物を固定する。
【００１７】
有益的には、前記皮むき装置１０３は皮むきロッド２８を含み、前記皮むきロッド２８が前記皮むきロッドスライド溝６０とスライドできるように連結され、前記連接ブロック２５が前記弧状スライダ２３と固定的に連結され、前記弧状スライダ２３が前記弧状スライド溝２２とスライドできるように連結され、前記皮むきロッドスライド溝６０の上下端壁にはリミットスライド溝２７が対称的に設置され、前記リミットスライド溝２７の中にはリミットブロック２６がスライドできるように連結され、前記リミットブロック２６が前記皮むきロッド２８と固定的に連結され、前記リミットブロック２６と前記リミットスライド溝２７との間にはリミットバネ２４が連結され、前記皮むきロッド２８の左端にはナイフラック５０が上下対称的に設置され、前記ナイフラック５０の間にはナイフヘッド４８が連結され、前記ナイフヘッド４８の中には皮むき溝４７が設置され、前記皮むきロッド２８の中には推しロッド２９がスライドできるように連結され、前記推しロッド２９の右端には取っ手３０が設置され、前記推しロッド２９の上下端には作動スライド溝５６が対称的に設置され、前記作動スライド溝５６の中には作動スライダ５７がスライドできるように連結され、前記作動スライダ５７が前記推しロッド２９と固定的に連結され、前記作動スライダ５７と前記作動スライド溝５６との間には作動バネ５５が連結され、前記推しロッド２９の左端には取り除き溝５３が設置され、前記取り除き溝５３の上下端壁には小ブロックスライド溝５２が対称的に設置され、前記小ブロックスライド溝５２の上下端壁には小ブロック５１が対称的に設置され、前記小ブロック５１が前記小ブロックスライド溝５２とスライドできるように連結され、前記小ブロック５１の間には押出器５４が連結され、前記取り除き溝５３の上下端壁には固定ゴム４９が設置され、前記皮むきロッド２８は前記ナイフヘッド４８を連動させて上下にスライドさせ、その作用は果物の皮をむくことである。
【００１８】
以下、出願人は付図１−４及び上記の本出願の果物を固定できるピーラーの具体的な構成を参照して本出願の果物を固定できるピーラーの使用方法を詳しく紹介する：まず、初期状態において、弧状スライダ２３が弧状スライド溝２２の一番上端に位置している。
【００１９】
使用する時、果物の中心を二つの固定ヘッド４６に合わせ、そしてそれぞれネジ山ヘッド３３を回転させ、これによりネジ山ロッド３２を果物の方向へ移動させ、固定ヘッド４６を通じて果物を固定でき、そして手で皮むきロッド２８を左方へ押し、ナイフヘッド４８を果物の皮に当接させ、そして皮むきロッド２８が下方へ移動することにより、リミットスライド溝２７と、弧状スライダ２３と、ナイフヘッド４８とを連動させて下方へ移動させ、果物の皮をむき、そして圧しヘッド３４を上方へ抜き、圧しロッド３５により固定パッド３９を連動させて上方へ移動させ、そして皮むき器３１を回転させ、次の皮むきのところに合わせ、果物に腐ったところがあるとき、取っ手３０により推しロッド２９を押し動かして左方へ移動させ、推しロッド２９の左端が皮むき溝４７により、腐った果肉に挿され、固定ゴム４９が腐った果肉を取り除き溝５３の中に引っ掛からせ、推しロッド２９を放し、腐った果肉を連れて右方へ移動させ、押出器５４まで運動すると腐った果肉を押出器５４により取り除き溝５３から押し出す。
【００２０】
本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175146.tif 000003
【図２】
2020175146.tif 000004
【図３】
2020175146.tif 000005
【図４】
2020175146.tif 000006
【手続補正書】
【提出日】令和1年9月28日(2019.9.28)
【手続補正１】
【補正対象書類名】特許請求の範囲
【補正対象項目名】全文
【補正方法】変更
【補正の内容】
【特許請求の範囲】
【請求項１】
弓形枠を含み、前記弓形枠には回転装置が設置され、前記回転装置は移動スライドロッドを含み、前記弓形枠の上下両端には固定ブロックが対称的に設置され、前記固定ブロックが前記弓形枠とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記弓形枠の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置され、
前記回転装置は移動スライダを含み、前記移動スライダが前記移動スライドロッドと固定的に連結され、前記移動スライドロッドはそれぞれ前記移動スライダと前記環状溝とスライドできるように連結され、二つの前記移動スライドロッドはそれぞれ前記弓形枠の上下両端と固定的に連結され、前記弓形枠は前記移動スライダと前記移動スライドロッドにより前記固定ブロックを回って回転でき、その作用は果物の皮を剥く位置を選択することであり、
二つの前記固定装置が上下対称的に設置され、上端の前記固定装置を例として説明し、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定し、
前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下両側の前記皮むきロッドの中には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には中空円錐ブロックが設置され、前記中空円錐ブロックの内壁の中には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記中空円錐ブロックの内壁の中には固定ゴムが設置され、前記皮むきロッドは前記ナイフヘッドを連動させて上下にスライドさせ、その作用は果物の皮をむくことであることを特徴とする果物を固定できるピーラー。
【手続補正２】
【補正対象書類名】明細書
【補正対象項目名】全文
【補正方法】変更
【補正の内容】
【発明の詳細な説明】
【技術分野】
【０００１】
本発明は食品処理分野を取り上げて、具体的には果物を固定できるピーラーである。
【背景技術】
【０００２】
現在、人の生活水準の向上につれて、果物を食べることも多くなり、りんごや梨などの果物を食べる時に皮をむく必要があり、従来のピーラーを使用する時に果物の皮を完璧に剥くまでかなり時間がかかり、しかも使用する時に指を傷つけやすく、人を傷つけ、そのため果物の皮を完璧に剥くことができて指を傷つけにくいピーラーを設計することが必要である。
【先行技術文献】
【特許文献】
【０００３】
【特許文献１】中国特許出願公開第１０５７６８８２５号明細書
【発明の概要】
【発明が解決しようとする課題】
【０００４】
本発明は果物を固定できるピーラーを提供し、上記背景技術において提出された問題を解決することを目的とする。
【課題を解決するための手段】
【０００５】
上記の目的を実現するために、本発明は以下の技術プランを提供する：果物を固定できるピーラーは：弓形枠を含み、前記弓形枠には回転装置が設置され、前記回転装置は移動スライドロッドを含み、前記弓形枠の上下両端には固定ブロックが対称的に設置され、前記固定ブロックが前記弓形枠とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記弓形枠の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置されている。
【０００６】
好ましくは、前記回転装置は移動スライダを含み、前記移動スライダが前記移動スライドロッドと固定的に連結され、前記移動スライドロッドはそれぞれ前記移動スライダと前記環状溝とスライドできるように連結され、二つの前記移動スライドロッドはそれぞれ前記弓形枠の上下両端と固定的に連結され、前記弓形枠は前記移動スライダと前記移動スライドロッドにより前記固定ブロックを回って回転でき、その作用は果物の皮を剥く位置を選択することである。
【０００７】
好ましくは、二つの前記固定装置が上下対称的に設置され、上端の前記固定装置を例として説明し、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定する。
【０００８】
好ましくは、前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下両側の前記皮むきロッドの中には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には中空円錐ブロックが設置され、前記中空円錐ブロックの内壁の中には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記中空円錐ブロックの内壁の中には固定ゴムが設置され、前記皮むきロッドは前記ナイフヘッドを連動させて上下にスライドさせ、その作用は果物の皮をむくことである。
【発明の効果】
【０００９】
以上のように、本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【図面の簡単な説明】
【００１０】
下記に図１〜４をあわせて本発明について詳しく説明し、本願に記載された各方向は図１で本願装置を見る方向と同じである。
【００１１】
【図１】図１は本発明の果物を固定できるピーラーの全体断面の正面構成模式図
【図２】図２は本発明の図１のＡの局部拡大図
【図３】図３は本発明の図１のＢの局部拡大図
【図４】図４は本発明の図１のＣの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。  
【００１３】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１４】
図１〜４を参照し、本発明の提供した実施例は：果物を固定できるピーラーは：弓形枠３１を含み、前記弓形枠には回転装置１０１が設置され、前記回転装置１０１は移動スライドロッド４０を含み、前記弓形枠３１の上下両端には固定ブロック４３が対称的に設置され、前記固定ブロック４３が前記弓形枠３１とスライドできるように連結され、前記固定ブロック４３の中には固定装置１０２が設置され、前記固定装置１０２はネジ山ロッド３２を含み、二つの前記ネジ山ロッド３２を回転させることにより果物を固定でき、前記固定ブロック４３の中には環状溝４４が設置され、前記環状溝４４の上端壁には圧し板溝３７が設置され、前記圧し板溝３７の上端壁には外部空間と連通している連接溝５９が設置され、前記固定ブロック４３の中にはネジ山溝４２が貫通するように設置され、前記弓形枠３１の中には空チャンバ２１が設置され、前記空チャンバ２１の前後端壁には弧状スライド溝２２が対称的に設置され、前記弧状スライド溝２２の中には皮むき装置１０３が設置され、前記皮むき装置１０３は弧状スライダ２３と連接ブロック２５とを含み、前記皮むき装置１０３は弧状スライダ２３と連接ブロック２５との上下移動により、果物の皮を剥くことができ、前記連接ブロック２５の中には皮むきロッドスライド溝６０が左右に貫通するように設置され、前記皮むきロッドスライド溝６０の上下端壁にはリミットスライド溝２７が対称的に設置されている。
【００１５】
有益的には、前記回転装置１０１は移動スライダ４１を含み、前記移動スライダ４１が前記移動スライドロッド４０と固定的に連結され、前記移動スライドロッド４０はそれぞれ前記移動スライダ４１と前記環状溝４４とスライドできるように連結され、二つの前記移動スライドロッド４０はそれぞれ前記弓形枠３１の上下両端と固定的に連結され、前記弓形枠３１は前記移動スライダ４１と前記移動スライドロッド４０により前記固定ブロック４３を回って回転でき、その作用は果物の皮を剥く位置を選択することである。
【００１６】
有益的には、二つの前記固定装置１０２が上下対称的に設置され、上端の前記固定装置１０２を例として説明し、前記ネジ山溝４２が前記ネジ山ロッド３２とネジ山より連結され、前記ネジ山ロッド３２の上端にはネジ山ヘッド３３が設置され、前記ネジ山ロッド３２の下端には固定ヘッド４６が設置され、前記圧し板溝３７の中には圧し板ブロック３８がスライドできるように連結され、前記圧し板ブロック３８の中には連通溝５８が設置され、前記連通溝５８が前記ネジ山ロッド３２とスライドできるように連結され、前記圧し板ブロック３８の下端面には固定パッド３９が設置され、前記固定パッド３９は前記移動スライダ４１を固定でき、前記圧し板ブロック３８の上端面と前記圧し板溝３７の上端壁には復帰バネ３６が左右対称的に連結され、前記圧し板ブロック３８の上端面には圧しロッド３５が固定的に連結され、前記圧しロッド３５が前記連接溝５９とスライドできるように連結され、前記圧しロッド３５の上端には圧しヘッド３４が設置され、前記ネジ山ヘッド３３を回転させ、これにより前記ネジ山ロッドを下方へ運動させ、これにより果物を固定する。
【００１７】
有益的には、前記皮むき装置１０３は皮むきロッド２８を含み、前記皮むきロッド２８が前記皮むきロッドスライド溝６０とスライドできるように連結され、前記連接ブロック２５が前記弧状スライダ２３と固定的に連結され、前記弧状スライダ２３が前記弧状スライド溝２２とスライドできるように連結され、前記皮むきロッドスライド溝６０の上下端壁にはリミットスライド溝２７が対称的に設置され、前記リミットスライド溝２７の中にはリミットブロック２６がスライドできるように連結され、前記リミットブロック２６が前記皮むきロッド２８と固定的に連結され、前記リミットブロック２６と前記リミットスライド溝２７との間にはリミットバネ２４が連結され、前記皮むきロッド２８の左端にはナイフラック５０が上下対称的に設置され、前記ナイフラック５０の間にはナイフヘッド４８が連結され、前記ナイフヘッド４８の中には皮むき溝４７が設置され、前記皮むきロッド２８の中には推しロッド２９がスライドできるように連結され、前記推しロッド２９の右端には取っ手３０が設置され、前記推しロッド２９の上下両側の前記皮むきロッド28の中には作動スライド溝５６が対称的に設置され、前記作動スライド溝５６の中には作動スライダ５７がスライドできるように連結され、前記作動スライダ５７が前記推しロッド２９と固定的に連結され、前記作動スライダ５７と前記作動スライド溝５６との間には作動バネ５５が連結され、前記推しロッド２９の左端には中空円錐ブロック５３が設置され、前記中空円錐ブロック５３の内壁の中には小ブロックスライド溝５２が対称的に設置され、前記小ブロックスライド溝５２の上下端壁には小ブロック５１が対称的に設置され、前記小ブロック５１が前記小ブロックスライド溝５２とスライドできるように連結され、前記小ブロック５１の間には押出器５４が連結され、前記中空円錐ブロック５３の内壁の中には固定ゴム４９が設置され、前記皮むきロッド２８は前記ナイフヘッド４８を連動させて上下にスライドさせ、その作用は果物の皮をむくことである。
【００１８】
以下、出願人は付図１−４及び上記の本出願の果物を固定できるピーラーの具体的な構成を参照して本出願の果物を固定できるピーラーの使用方法を詳しく紹介する：まず、初期状態において、弧状スライダ２３が弧状スライド溝２２の一番上端に位置している。
【００１９】
使用する時、果物の中心を二つの固定ヘッド４６に合わせ、そしてそれぞれネジ山ヘッド３３を回転させ、これによりネジ山ロッド３２を果物の方向へ移動させ、固定ヘッド４６を通じて果物を固定でき、そして手で皮むきロッド２８を左方へ押し、ナイフヘッド４８を果物の皮に当接させ、そして皮むきロッド２８が下方へ移動することにより、リミットスライド溝２７と、弧状スライダ２３と、ナイフヘッド４８とを連動させて下方へ移動させ、果物の皮をむき、そして使用者が手で圧しヘッド３４を上方へ抜き、これにより圧しロッド３５により固定パッド３９を連動させて上方へ移動させ、そして手で弓形枠３１を一定の角度に回転させ、次の皮むきのところに合わせ、果物に腐ったところがあるとき、取っ手３０により推しロッド２９と中空円錐ブロック５３と固定ゴム４９を押し動かして左方へ移動させ、これにより中空円錐ブロック５３が皮むき溝４７によって腐った果肉に挿され、固定ゴム４９が腐った果肉を中空円錐ブロック５３の中に引っ掛からせ、推しロッド２９を放し、腐った果肉を連れて右方へ移動させ、押出器５４まで運動すると腐った果肉を押出器５４により中空円錐ブロック５３から押し出す。
【００２０】
本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
弓形枠を含み、前記弓形枠には回転装置が設置され、前記回転装置は移動スライドロッドを含み、前記弓形枠の上下両端には固定ブロックが対称的に設置され、前記固定ブロックが前記弓形枠とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記弓形枠の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置され、
前記回転装置は移動スライダを含み、前記移動スライダが前記移動スライドロッドと固定的に連結され、前記移動スライドロッドはそれぞれ前記移動スライダと前記環状溝とスライドできるように連結され、二つの前記移動スライドロッドはそれぞれ前記弓形枠の上下両端と固定的に連結され、前記弓形枠は前記移動スライダと前記移動スライドロッドにより前記固定ブロックを回って回転でき、その作用は果物の皮を剥く位置を選択することであり、
二つの前記固定装置が上下対称的に設置され、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定し、
前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下両側の前記皮むきロッドの中には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には円柱形中空刃が設置され、前記円柱形中空刃の内壁の中には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記円柱形中空刃の内壁の中には固定ゴムが設置され、前記皮むきロッドは前記ナイフヘッドを連動させて上下にスライドさせ、その作用は果物の皮をむくことであることを特徴とする果物を固定できるピーラー。
【手続補正２】
【補正対象書類名】明細書
【補正対象項目名】全文
【補正方法】変更
【補正の内容】
【発明の詳細な説明】
【技術分野】
【０００１】
本発明は食品処理分野を取り上げて、具体的には果物を固定できるピーラーである。
【背景技術】
【０００２】
現在、人の生活水準の向上につれて、果物を食べることも多くなり、りんごや梨などの果物を食べる時に皮をむく必要があり、従来のピーラーを使用する時に果物の皮を完璧に剥くまでかなり時間がかかり、しかも使用する時に指を傷つけやすく、人を傷つけ、そのため果物の皮を完璧に剥くことができて指を傷つけにくいピーラーを設計することが必要である。
【先行技術文献】
【特許文献】
【０００３】
【特許文献１】中国特許出願公開第１０５７６８８２５号明細書
【発明の概要】
【発明が解決しようとする課題】
【０００４】
本発明は果物を固定できるピーラーを提供し、上記背景技術において提出された問題を解決することを目的とする。
【課題を解決するための手段】
【０００５】
上記の目的を実現するために、本発明は以下の技術プランを提供する：果物を固定できるピーラーは：弓形枠を含み、前記弓形枠には回転装置が設置され、前記回転装置は移動スライドロッドを含み、前記弓形枠の上下両端には固定ブロックが対称的に設置され、前記固定ブロックが前記弓形枠とスライドできるように連結され、前記固定ブロックの中には固定装置が設置され、前記固定装置はネジ山ロッドを含み、二つの前記ネジ山ロッドを回転させることにより果物を固定でき、前記固定ブロックの中には環状溝が設置され、前記環状溝の上端壁には圧し板溝が設置され、前記圧し板溝の上端壁には外部空間と連通している連接溝が設置され、前記固定ブロックの中にはネジ山溝が貫通するように設置され、前記弓形枠の中には空チャンバが設置され、前記空チャンバの前後端壁には弧状スライド溝が対称的に設置され、前記弧状スライド溝の中には皮むき装置が設置され、前記皮むき装置は弧状スライダと連接ブロックとを含み、前記皮むき装置は弧状スライダと連接ブロックとの上下移動により、果物の皮を剥くことができ、前記連接ブロックの中には皮むきロッドスライド溝が左右に貫通するように設置され、前記皮むきロッドスライド溝の上下端壁にはリミットスライド溝が対称的に設置されている。
【０００６】
好ましくは、前記回転装置は移動スライダを含み、前記移動スライダが前記移動スライドロッドと固定的に連結され、前記移動スライドロッドはそれぞれ前記移動スライダと前記環状溝とスライドできるように連結され、二つの前記移動スライドロッドはそれぞれ前記弓形枠の上下両端と固定的に連結され、前記弓形枠は前記移動スライダと前記移動スライドロッドにより前記固定ブロックを回って回転でき、その作用は果物の皮を剥く位置を選択することである。
【０００７】
好ましくは、二つの前記固定装置が上下対称的に設置され、前記ネジ山溝が前記ネジ山ロッドとネジ山より連結され、前記ネジ山ロッドの上端にはネジ山ヘッドが設置され、前記ネジ山ロッドの下端には固定ヘッドが設置され、前記圧し板溝の中には圧し板ブロックがスライドできるように連結され、前記圧し板ブロックの中には連通溝が設置され、前記連通溝が前記ネジ山ロッドとスライドできるように連結され、前記圧し板ブロックの下端面には固定パッドが設置され、前記固定パッドは前記移動スライダを固定でき、前記圧し板ブロックの上端面と前記圧し板溝の上端壁には復帰バネが左右対称的に連結され、前記圧し板ブロックの上端面には圧しロッドが固定的に連結され、前記圧しロッドが前記連接溝とスライドできるように連結され、前記圧しロッドの上端には圧しヘッドが設置され、前記ネジ山ヘッドを回転させ、これにより前記ネジ山ロッドを下方へ運動させ、これにより果物を固定する。
【０００８】
好ましくは、前記皮むき装置は皮むきロッドを含み、前記皮むきロッドが前記皮むきロッドスライド溝とスライドできるように連結され、前記連接ブロックが前記弧状スライダと固定的に連結され、前記弧状スライダが前記弧状スライド溝とスライドできるように連結され、前記皮むきロッドスライド溝の上下端壁にはリミットスライド溝が対称的に設置され、前記リミットスライド溝の中にはリミットブロックがスライドできるように連結され、前記リミットブロックが前記皮むきロッドと固定的に連結され、前記リミットブロックと前記リミットスライド溝との間にはリミットバネが連結され、前記皮むきロッドの左端にはナイフラックが上下対称的に設置され、前記ナイフラックの間にはナイフヘッドが連結され、前記ナイフヘッドの中には皮むき溝が設置され、前記皮むきロッドの中には推しロッドがスライドできるように連結され、前記推しロッドの右端には取っ手が設置され、前記推しロッドの上下両側の前記皮むきロッドの中には作動スライド溝が対称的に設置され、前記作動スライド溝の中には作動スライダがスライドできるように連結され、前記作動スライダが前記推しロッドと固定的に連結され、前記作動スライダと前記作動スライド溝との間には作動バネが連結され、前記推しロッドの左端には円柱形中空刃が設置され、前記円柱形中空刃の内壁の中には小ブロックスライド溝が対称的に設置され、前記小ブロックスライド溝の上下端壁には小ブロックが対称的に設置され、前記小ブロックが前記小ブロックスライド溝とスライドできるように連結され、前記小ブロックの間には押出器が連結され、前記円柱形中空刃の内壁の中には固定ゴムが設置され、前記皮むきロッドは前記ナイフヘッドを連動させて上下にスライドさせ、その作用は果物の皮をむくことである。
【発明の効果】
【０００９】
以上のように、本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【図面の簡単な説明】
【００１０】
下記に図１〜４をあわせて本発明について詳しく説明し、本願に記載された各方向は図１で本願装置を見る方向と同じである。
【００１１】
【図１】図１は本発明の果物を固定できるピーラーの全体断面の正面構成模式図
【図２】図２は本発明の図１のＡの局部拡大図
【図３】図３は本発明の図１のＢの局部拡大図
【図４】図４は本発明の図１のＣの局部拡大図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。  
【００１３】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１４】
図１〜４を参照し、本発明の提供した実施例は：果物を固定できるピーラーは：弓形枠３１を含み、前記弓形枠には回転装置１０１が設置され、前記回転装置１０１は移動スライドロッド４０を含み、前記弓形枠３１の上下両端には固定ブロック４３が対称的に設置され、前記固定ブロック４３が前記弓形枠３１とスライドできるように連結され、前記固定ブロック４３の中には固定装置１０２が設置され、前記固定装置１０２はネジ山ロッド３２を含み、二つの前記ネジ山ロッド３２を回転させることにより果物を固定でき、前記固定ブロック４３の中には環状溝４４が設置され、前記環状溝４４の上端壁には圧し板溝３７が設置され、前記圧し板溝３７の上端壁には外部空間と連通している連接溝５９が設置され、前記固定ブロック４３の中にはネジ山溝４２が貫通するように設置され、前記弓形枠３１の中には空チャンバ２１が設置され、前記空チャンバ２１の前後端壁には弧状スライド溝２２が対称的に設置され、前記弧状スライド溝２２の中には皮むき装置１０３が設置され、前記皮むき装置１０３は弧状スライダ２３と連接ブロック２５とを含み、前記皮むき装置１０３は弧状スライダ２３と連接ブロック２５との上下移動により、果物の皮を剥くことができ、前記連接ブロック２５の中には皮むきロッドスライド溝６０が左右に貫通するように設置され、前記皮むきロッドスライド溝６０の上下端壁にはリミットスライド溝２７が対称的に設置されている。
【００１５】
有益的には、前記回転装置１０１は移動スライダ４１を含み、前記移動スライダ４１が前記移動スライドロッド４０と固定的に連結され、前記移動スライドロッド４０はそれぞれ前記移動スライダ４１と前記環状溝４４とスライドできるように連結され、二つの前記移動スライドロッド４０はそれぞれ前記弓形枠３１の上下両端と固定的に連結され、前記弓形枠３１は前記移動スライダ４１と前記移動スライドロッド４０により前記固定ブロック４３を回って回転でき、その作用は果物の皮を剥く位置を選択することである。
【００１６】
有益的には、二つの前記固定装置１０２が上下対称的に設置され、前記ネジ山溝４２が前記ネジ山ロッド３２とネジ山より連結され、前記ネジ山ロッド３２の上端にはネジ山ヘッド３３が設置され、前記ネジ山ロッド３２の下端には固定ヘッド４６が設置され、前記圧し板溝３７の中には圧し板ブロック３８がスライドできるように連結され、前記圧し板ブロック３８の中には連通溝５８が設置され、前記連通溝５８が前記ネジ山ロッド３２とスライドできるように連結され、前記圧し板ブロック３８の下端面には固定パッド３９が設置され、前記固定パッド３９は前記移動スライダ４１を固定でき、前記圧し板ブロック３８の上端面と前記圧し板溝３７の上端壁には復帰バネ３６が左右対称的に連結され、前記圧し板ブロック３８の上端面には圧しロッド３５が固定的に連結され、前記圧しロッド３５が前記連接溝５９とスライドできるように連結され、前記圧しロッド３５の上端には圧しヘッド３４が設置され、前記ネジ山ヘッド３３を回転させ、これにより前記ネジ山ロッドを下方へ運動させ、これにより果物を固定する。
【００１７】
有益的には、前記皮むき装置１０３は皮むきロッド２８を含み、前記皮むきロッド２８が前記皮むきロッドスライド溝６０とスライドできるように連結され、前記連接ブロック２５が前記弧状スライダ２３と固定的に連結され、前記弧状スライダ２３が前記弧状スライド溝２２とスライドできるように連結され、前記皮むきロッドスライド溝６０の上下端壁にはリミットスライド溝２７が対称的に設置され、前記リミットスライド溝２７の中にはリミットブロック２６がスライドできるように連結され、前記リミットブロック２６が前記皮むきロッド２８と固定的に連結され、前記リミットブロック２６と前記リミットスライド溝２７との間にはリミットバネ２４が連結され、前記皮むきロッド２８の左端にはナイフラック５０が上下対称的に設置され、前記ナイフラック５０の間にはナイフヘッド４８が連結され、前記ナイフヘッド４８の中には皮むき溝４７が設置され、前記皮むきロッド２８の中には推しロッド２９がスライドできるように連結され、前記推しロッド２９の右端には取っ手３０が設置され、前記推しロッド２９の上下両側の前記皮むきロッド２８の中には作動スライド溝５６が対称的に設置され、前記作動スライド溝５６の中には作動スライダ５７がスライドできるように連結され、前記作動スライダ５７が前記推しロッド２９と固定的に連結され、前記作動スライダ５７と前記作動スライド溝５６との間には作動バネ５５が連結され、前記推しロッド２９の左端には円柱形中空刃５３が設置され、前記円柱形中空刃５３の内壁の中には小ブロックスライド溝５２が対称的に設置され、前記小ブロックスライド溝５２の上下端壁には小ブロック５１が対称的に設置され、前記小ブロック５１が前記小ブロックスライド溝５２とスライドできるように連結され、前記小ブロック５１の間には押出器５４が連結され、前記円柱形中空刃５３の内壁の中には固定ゴム４９が設置され、前記皮むきロッド２８は前記ナイフヘッド４８を連動させて上下にスライドさせ、その作用は果物の皮をむくことである。
【００１８】
以下、出願人は付図１−４及び上記の本出願の果物を固定できるピーラーの具体的な構成を参照して本出願の果物を固定できるピーラーの使用方法を詳しく紹介する：まず、初期状態において、弧状スライダ２３が弧状スライド溝２２の一番上端に位置している。
【００１９】
使用する時、果物の中心を二つの固定ヘッド４６に合わせ、そしてそれぞれネジ山ヘッド３３を回転させ、これによりネジ山ロッド３２を果物の方向へ移動させ、固定ヘッド４６を通じて果物を固定でき、そして手で皮むきロッド２８を左方へ押し、ナイフヘッド４８を果物の皮に当接させ、そして皮むきロッド２８が下方へ移動することにより、リミットスライド溝２７と、弧状スライダ２３と、ナイフヘッド４８とを連動させて下方へ移動させ、果物の皮をむき、そして使用者が手で圧しヘッド３４を上方へ抜き、これにより圧しロッド３５により固定パッド３９を連動させて上方へ移動させ、そして手で弓形枠３１を一定の角度に回転させ、次の皮むきのところに合わせ、果物に腐ったところがあるとき、取っ手３０により推しロッド２９と円柱形中空刃５３と固定ゴム４９を押し動かして左方へ移動させ、これにより円柱形中空刃５３が皮むき溝４７によって腐った果肉に挿され、固定ゴム４９が腐った果肉を円柱形中空刃５３の中に引っ掛からせ、推しロッド２９を放し、腐った果肉を連れて右方へ移動させ、押出器５４まで運動すると腐った果肉を押出器５４により円柱形中空刃５３から押し出す。
【００２０】
本発明の有益効果は：本装置はりんごや梨などの果物の皮をむくことができ、本装置は従来のピーラーの使い方を長時間に練習して初めて果物の皮を完璧に剥くことができるという欠点を解消し、同時に本装置が操作者の手を傷つけにくく、本装置は機械伝動で果物の皮をむき、装置のコストを低下させてエネルギー消費を節約し、バネを採用して設備の運動部品を緩衝と復帰し、設備の作動安定性と設備の使用寿命を有効的に向上させる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。